(57)【要約】【課題】複数の医用機器の電力を集中管理し、電源設備の縮小を図った電力管理システムを提供する。【解決手段】複数の医用機器の使用電力量を管理する電力管理システムであって、複数の医用機器からそれぞれの使用プランに関する情報を取得する情報取得部と、プラン情報をもとに稼動予定の医用機器の総電力量を予測する予測部と、予測部による予測結果をもとに、既稼動中の医用機器及び稼動予定の医用機器が稼動したときの総電力量が、予め設定した許容電力量以内であれば稼動予定の医用機器の使用を許可し、許容電力量を越える場合は、稼動予定の医用機器に対して使用プランの見直しを指示する管理部と、管理部からの指示を複数の医用機器に通知する通知部と、を備える【選択図】図１
2014131407.tif 000002
【特許請求の範囲】
【請求項１】
複数の医用機器の使用電力量を管理する電力管理システムであって、
前記複数の医用機器からそれぞれの使用プランに関する情報を取得する情報取得部と、
前記プラン情報をもとに稼動予定の医用機器の総電力量を予測する予測部と、
前記予測部による予測結果をもとに、既稼動中の医用機器及び前記稼動予定の医用機器が稼動したときの総電力量が、予め設定した許容電力量以内であれば前記稼動予定の医用機器の使用を許可し、前記許容電力量を越える場合は、前記稼動予定の医用機器に対して前記使用プランの見直しを指示する管理部と、
前記管理部からの指示を前記複数の医用機器に通知する通知部と、を備える
電力管理システム。
【請求項２】
前記管理部は、前記稼動予定の医用機器に前記使用プランの見直しを指示する際に、使用電力を低減したモードでの使用に変更するか、又は一時休止を要求する請求項１記載の電力管理システム。
【請求項３】
前記管理部は、前記指示を通知した医用機器から使用プランの変更を受信し、変更した使用プランで稼動した時の電力量が前記許容電力量以内になるときは、前記通知部を介して使用許可を通知する請求項２記載の電力管理システム。
【請求項４】
前記管理部は、前記使用プランに優先順位付けを行い、前記複数の医用機器のうち緊急使用を要する医用機器から使用プランを受け付けたときは、他の医用機器に優先して使用できるように管理する請求項１記載の電力管理システム。
【請求項５】
前記管理部は、前記複数の医用機器から日時が設定された使用プランを受信したとき、該当する日時における総電力量が前記許容電力量以内であれば、指定した日時での使用を予約する請求項１記載の電力管理システム。
【発明の詳細な説明】
【技術分野】
【０００１】
本発明の実施形態は、病院等の医療機関に設置した複数台の医用機器の電力管理システムに係り、特にＸ線撮影装置、Ｘ線ＣＴ装置、ＭＲＩ装置等の大きな電力を使用する装置が複数台ランダムに動作する環境において、優先順位をつけて使用したり、低電力量での使用に切りかえて医療機関内の使用電力量を一定値以下に調整する電力管理システムに関する。
【背景技術】
【０００２】
従来、病院等の医療機関では、Ｘ線ＣＴ装置やＭＲＩ装置等の大きな電力を使用する医用機器が複数台存在しているが、それらの複数の装置を統括するシステムが存在していないため、各装置がランダムに動作できるように、大きな容量の電源設備を備えていた。
【０００３】
しかしながら、不必要に大きな電源設備を持つことは、医療機関としての固定費がかさんでしまう。また、昨今の電力逼迫の状況を受けての電力制限指示があった場合、管理ができないという問題がある。また電力使用制限時においては、人の手で各装置の電力を管理しなければならず、大きな医療機関ほど手間がかかってしまう。尚、電源容量を少なくする一例として、特許文献１がある。
【先行技術文献】
【特許文献】
【０００４】
【特許文献１】特開平９−９６１３８号公報
【発明の概要】
【発明が解決しようとする課題】
【０００５】
発明が解決しようとする課題は、複数の医用機器の電力を集中管理し、電源設備の縮小を図った電力管理システムを提供することにある。
【課題を解決するための手段】
【０００６】
実施形態は、複数の医用機器の使用電力量を管理する電力管理システムであって、前記複数の医用機器からそれぞれの使用プランに関する情報を取得する情報取得部と、前記プラン情報をもとに稼動予定の医用機器の総電力量を予測する予測部と、前記予測部による予測結果をもとに、既稼動中の医用機器及び前記稼動予定の医用機器が稼動したときの総電力量が、予め設定した許容電力量以内であれば前記稼動予定の医用機器の使用を許可し、前記許容電力量を越える場合は、前記稼動予定の医用機器に対して前記使用プランの見直しを指示する管理部と、前記管理部からの指示を前記複数の医用機器に通知する通知部と、を備える。
【図面の簡単な説明】
【０００７】
【図１】実施形態に係る電力管理システムの構成を示すブロック図。
【図２】実施形態における中央処理部のブロック図。
【図３】実施形態に係る電力管理システムの動作を示すフローチャート
【図４】実施形態に係る電力管理システムのタイミングチャート。
【図５】実施形態に係る電力管理システムの他のタイミングチャート。
【発明を実施するための形態】
【０００８】
以下、発明を実施するための実施形態について、図面を参照して説明する。尚、各図において同一箇所については同一の符号を付す。
【０００９】
（第１の実施形態）
図１は、実施形態に係る電力管理システムの構成を示すブロック図である。図１では、例えばＸ線ＣＴ装置、ＭＲＩ装置等の大きな電力を使用する複数の医用機器の電力を管理するシステムを例示している。
【００１０】
図１の電力管理システムは、複数の検査室１０，２０，３０…に備えられた医用機器を管理する中央処理部４０を備えている。例えば、検査室１０には、ＭＲＩ装置１１と、ＭＲＩ装置１１を制御するコンソール１２と、ＭＲＩ装置１１とコンソール１２に電力を供給する配電盤１３を備えている。
【００１１】
また検査室２０には、Ｘ線ＣＴ装置２１と、Ｘ線ＣＴ装置２１を制御するコンソール２２と、Ｘ線ＣＴ装置２１とコンソール２２に電力を供給する配電盤２３を備えている。尚、コンソール１２，２２は、ＰＣ（パーソナルコンピュータ）であってもよい。さらに、検査室３０には、他の医用機器（検査装置）３１と、検査装置３１への電力を監視する電力監視ユニット３２と、検査装置３１と電力監視ユニット３２に電力を供給する配電盤３３を備えている。
【００１２】
中央処理部４０は、ＰＣ等で構成され、コンソール１２、２２及び電力監視ユニット３２と接続しており、コンソール１２、２２及び電力監視ユニット３２から中央処理部４０に対して、撮影計画や検査の実行計画の情報（プラン情報）を送り、中央処理部４０は、プラン情報を収集して撮影や検査の実行を許可したり、撮影や検査の実行を遅らせたり、撮影計画の見直し等の要求を行う。
【００１３】
以下、図１の各装置の構成について説明する。中央処理部４０は、医療機関内に設置された電力制御の対象となる医用機器、例えば、ＭＲＩ装置１１、Ｘ線ＣＴ装置２１、検査装置３１等に接続され、各医用機器の電力使用状況を確認し、かつ収集したプラン情報を基に使用電力を予測し、その結果、予め設定された電力量を超えると予想された場合は、プラン変更の要求や、医用機器の使用を一旦待つよう指示を出す。
【００１４】
検査室１０，２０に設置されたＭＲＩ装置１１、Ｘ線ＣＴ装置２１（以下、装置Ａ、装置Ｂと称す）は、撮影部本体と、それを制御するコンソール１２，２２（またはＰＣ）を持つ装置であり、コンソール１２，２２は、中央処理部４０に接続され、立案した撮影プラン（装置Ａ，Ｂの使用プラン）を送信する。
【００１５】
検査室３０に設置された検査装置３１（以下、装置Ｃと称す）は、装置本体で構成されるか、もしくはコンソール部が中央処理部４０と接続できない装置である。検査室３０に備えた電力監視ユニット３２は、配電盤３３からの電源ケーブルに接続した電力監視装置であり、装置Ｃが複数のモードで動作するとき、モード毎の電力測定が可能である。また、電力監視ユニット３２は、中央処理部４０と接続した状態で動作モードごとの電力量をメモリ等に保存することで、中央処理部４０による電力監視が可能となる。
【００１６】
図２は、中央処理部４０の機能をブロック化したブロック図であり、通信部４１、情報取得部４２、予測部４３、記憶部４４、管理部４５、通知部４６及びＣＰＵ４７を含む。
【００１７】
通信部４１は、複数の医用機器（装置Ａ〜Ｃ）と通信を行い、複数の装置Ａ〜Ｃからのプラン情報を受信したり、装置Ａ〜Ｃに対して各種の通知を行う。情報取得部４２は、複数の装置Ａ〜Ｃからそれぞれの使用プランの情報（プラン情報）を取得する。予測部４３は、受信したプラン情報をもとに稼動予定の装置Ａ〜Ｃの総電力量を予測する。記憶部４４は、予測部４３での予測結果を記憶したり、既に稼動中の装置（Ａ〜Ｃ）の使用状況や稼動時間等の情報を記憶する。
【００１８】
管理部４５は、記憶部４４の記憶情報や予測部４３での予測結果をもとに、既に稼動中の装置及びこれから稼動予定の装置が稼動したときの総電力量を判断し、総電力量が予め設定した許容電力量以内であれば稼動予定の装置（Ａ〜Ｃ）の使用を許可し、許容電力量を越える場合は、これから稼動予定の装置（Ａ〜Ｃ）に対して使用プランの見直しを指示する。通知部４６は、管理部４５からの指示を複数の装置（Ａ〜Ｃ）に通知する。ＣＰＵ４７は、中央処理部４０の全体の動作を制御する。
【００１９】
次に図１の電力管理システムの動作について説明する。中央処理部４０は、電力使用量を調整するため、大別すると以下の２つの機能を持つ。即ち、第１の機能（機能１）として、リアルタイムに各装置（Ａ〜Ｃ）のプラン情報を収集して調整する。第２の機能（機能２）として、プラン情報をもとに今後の電力使用量を予測して、装置の使用予約ができるようにする。
【００２０】
機能１のシーケンス（１）〜（６）を以下、具体的に説明する。
【００２１】
（１）先ず、ある検査室（ここでは検査室１０とする）で撮影、治療のプランが立案され、装置Ａの使用プランを中央処理部４０に送る。  
（２）中央処理部４０は、検査室１０で立てられたプランを受け取り、そのプランによる使用電力量を予測し、医療機関内（院内）で既に稼動中の装置の使用電力量を確認する。またプランを実行したときの院内の総電力量と、予め設定した許容電力量を比較し、プランの実行が可能か否かを判断する。実行可能であった場合は、検査室１０にプランの実行許可を発行する。実行不可と判断した場合は、検査室１０のプランを許可せず、装置Ａのコンソール１２にプランの見直しを要求する。プランの見直しとしては、プランの変更、もしくは一時休止（待機）を要求する。  
（３）検査室１０での撮影・治療中に、別の検査室（ここでは検査室２０とする）で撮影・治療のプランが立案されると、装置Ｂの使用プランを中央処理部４０に送る。  
（４）中央処理部４０は、検査室２０で立てられたプランを受け取り、現在の院内の使用電力量を確認し、検査室２０で立てられたプランを実行可能か否か判断する。実効可能であった場合は、検査室２０に対してプランの実行許可を通知する。実行不可と判断した場合は、検査室２０のプランは許可せず、コンソール２２にプラン見直し（変更もしくは一時休止）を要求する。  
（５）検査室３０で、コンソールを持たない、又は中央処理部４０との接続ラインを持たない装置（ここでは装置Ｃ）の稼動が計画される。尚、ここでいう計画とは、動作モードを決めて稼動開始することを意味する。  
（６）中央処理部４０は、電力監視ユニット３２から、実施しようとしている動作モードの電力情報を受け取り、他の検査室１０，２０での使用電力を確認し、装置Ｃの動作を実行可能か判断する。実行不可と判断した場合は、電力監視ユニット３２へワーニングを発行し、ユーザへ注意を喚起する。また電力監視ユニット３２を対象の装置Ｃの指示系へ接続することができれば、動作の実行自体を止めることもできる。
【００２２】
中央処理部４０では、各装置Ａ〜Ｃからの要求をもとにプランごとに優先度による重み付けをすることができる。この場合、基本のシーケンスは（１）〜（６）と同様であるが、優先度の高いプランの場合は、すでに実行中のプランがあった場合でも、割り込めるタイミングで割り込み処理を入れて優先的に電力を確保できるように処理する。
【００２３】
尚、優先度の高いプランとは、例えば、救急患者の撮影や、Ｘ線ＣＴ装置２１で撮影しながら手術を指示する（術中撮影）等がある。また検査ＣＴ撮影のように多少遅れてもよいプランは優先度を低く設定することができる。
【００２４】
次に、機能２（装置の使用予約）の概略を以下に示す。機能２は、日付ごとの電力使用予定を提供し、ユーザが要求するプランを実行しても許容電力量以内であれば、指定の日付に使用予約を入れることができる。つまり、複数の装置（Ａ〜Ｃ）から日時が設定された使用プランを受信したとき、該当する日時における総電力量が許容電力量以内であれば、指定した日時での使用を予約する。また突発的に発生した計画については機能１のシーケンスで管理を行う。
【００２５】
プラン情報は、例えばＸ線ＣＴ装置２１であれば、高出力でのＸ線照射なのか、低出力での照射なのかといった情報や、撮影時間、撮影部の回転スピード等の情報である。したがって、検査の内容に応じて撮影プランを立て、コンソール２２から中央処理部４０に送信することにより、中央処理部４０では、Ｘ線管の管電圧・管電流によって所要電力を求めることができるため、撮影プランに応じて電力量を予測することができる。また撮影プランをもとに撮影時間を予測することができる。また複数の撮影プランを予め設定しておき、患者の検査内容に応じて撮影プランを選択し、選択した撮影プランの情報を中央処理部４０に通知するようにしてもよい。
【００２６】
また、コンソールを持たない医用機器３１では、電力監視ユニット３２によって装置Ｃに供給するケーブルの電流量を測定し、消費電力を直接的に監視する。そして、電力監視ユニット３２からイニシャライズの電力量を中央処理部４０に初期登録しておけば、中央処理部４０は、装置Ｃでの検査プラン毎に所要電力量を予測することができる。また装置Ｃが常に一定量の電力を消費する機器であれば、検査プランを通知することで消費電力を容易に予測することができる。
【００２７】
さらに、定期健康診断等は、各装置（Ａ〜Ｃ）を使用する時間帯が予め分かっているため、各装置の使用時間帯を予め予約しておき、使用電力量を事前に確保しておくこともできる。
【００２８】
図３は、実施形態における電力管理システムの動作を示すフローチャートである。図３では、中央処理部４０によって装置Ａと装置Ｂの電力量を管理する場合を例に説明する。尚、図３において、計画Ａとは、装置Ａの撮影計画（プラン）を指し、計画Ｂとは、装置Ｂの撮影計画（プラン）を指す。
【００２９】
図３のステップＳ１において、中央処理部４０が装置Ａから計画Ａを受信すると、ステップＳ２では、同一時刻に他の撮影計画があるか否かを判断する。他に撮影計画が無ければ、ステップＳ４に進み装置Ａでの撮影を許可する。もし、同一時刻に他の撮影計画（計画Ｂ）が入っている場合は、ステップＳ３にて計画Ａと計画Ｂによる撮影が実行可能かを判断する。
【００３０】
つまり、ステップＳ３では、計画Ａと計画Ｂに基づいて両方の装置Ａ，Ｂが稼動した場合の所要電力量を予測し、許容電力量を越える場合（ステップＳ３の判断がＮＯの場合）は、ステップＳ５に進む。また許容電力量に収まると判断した場合（ステップＳ３の判断がＹＥＳの場合）は、ステップＳ４にて装置Ａでの撮影を許可する。
【００３１】
ステップＳ５では、計画Ｂでの撮影にかかる時間を取得し、ステップＳ６で装置Ａに対して計画Ａの見直しを指示し、計画の変更や一時休止（計画Ｂの終了まで待て）を指示する。このとき、ステップＳ５で取得した時間をもとにどれくらい待てばよいかを通知する。
【００３２】
ステップＳ７では、装置Ａからの計画Ａの見直し回答の有無を判断する。計画の変更があった場合は、ステップＳ８にて、変更した計画による電力量を判断し、許容電力量の範囲内に収まるか否かを判断する。許容電力量の範囲内に納まる場合は、ステップＳ９において、装置Ａに対して変更した計画による撮影の実行を許可する。許容電力量の範囲内に納まらない場合は、ステップＳ６に戻る。
【００３３】
またステップＳ７において計画Ａの見直しの回答がない場合は、計画Ｂの終了まで待つものと判断してステップに進み、計画Ｂによる撮影が終了するのを待って、ステップＳ１１において計画Ａによる撮影を許可する。
【００３４】
こうして、撮影計画を装置Ａと装置Ｂから先着順に受け付け、計画Ａと計画Ｂが同一時刻に重なるような場合は、同時に稼動しても許容電力量に収まるか否かを判断し、収まらない場合は、計画の見直し（変更や待機（ウエイト））を指示して、電力量が許容範囲を越えないように管理することができる。
【００３５】
尚、図３では、装置Ａと装置Ｂの管理について示したが、装置Ｃから使用プランを受け付けた場合も、他の撮影計画があるか否かを判断して同様に管理することができ、複数の装置がある場合に適正な電力量になるように制御することができる。
【００３６】
プランを見直す場合の一例を説明する。例えば、Ｘ線ＣＴ装置２１で高出力のＸ照射をしようとプランを立てた時点で、他の検査室にあるＸ線撮影装置で高出力のＸ線照射をしていた場合は、中央処理部４０からプランの変更もしくは一時休止するように指示を出す。中央処理部４０からの指示を受けると、検査室２０のコンソール２２上にはメッセージが表示される。またこのとき、特定線量以上の曝射ができないように制御しても良い。
【００３７】
検査室２０では、オペレータの判断により、Ｘ線ＣＴ装置２１を低電力量での撮影モード（例えば、Ｘ線の曝射量を低減したモード）に切りかえて撮影を実行するように変更し、変更した撮影プランをコンソール２２から中央処理部４０に通知する。また高出力でのＸ照射が必要な場合は、待機することになる。
【００３８】
図４は、実施形態における電力管理システムのタイミングチャートを示す。尚、横軸は時間を示し、縦軸は電力を示す。図４において、装置Ａ〜Ｃからは随時、撮影・治療の実行計画Ｐ１が中央処理部４０に送られるが、中央処理部４０は先着順にプランＰ１を受け付ける。ケース１、ケース２に分けて説明する。尚、図４において、矢印Ｐ１，Ｐ２はプラン、矢印Ａは許可、矢印Ｄは却下の通知をそれぞれ示す。またＷ１は使用電力量が高いことを示し、Ｗ２は使用電力量が低いことを示している。
【００３９】
図４のケース１において、中央処理部４０は、最初に装置Ｂから撮影のプランＰ１を受け付けたとすると、現時点で稼動している装置はないため、プランの実行を許可する回答（許可Ａ）を装置Ｂに送る。装置Ｂは、撮影を開始する。また、中央処理部４０は、装置Ｂからのプラン情報をもとに、装置Ｂの撮影に要する電力量Ｗ１と所要時間（Ｔ１）を判断し、期間Ｔ１において電力量Ｗ１を使用することを記憶する。
【００４０】
期間Ｔ１内において、装置Ａから撮影のプランＰ１を受け付けると、中央処理部４０は、装置Ａからのプラン情報をもとに装置Ａでの撮影に要する電力量を予測する。装置Ｂと装置Ａのトータルの電力量が予め設定した許容電力量Ｗmaxを越えると判断すると、装置Ａに対して却下Ｄの通知を行う。装置Ａは、計画の実行を却下された場合、プランを変更して低電力量での撮影プランに変更するか、又は装置Ｂでの撮影終了を待つかを回答する。ここでは、撮影プランを変更する場合を説明する。
【００４１】
中央処理部４０は、装置Ａから変更した撮影プランＰ２を受け付けると、変更したプランでの使用電力量を予測し、装置ＢとＡのトータル電力量が許容電力量Ｗmax以内に納まる場合は、装置Ａに対して許可Ａを通知する。装置Ａは、低電力量での撮影モード（例えば、Ｘ線の曝射量を低減したモード）に切りかえて撮影を実行することができる。これで、医療機関全体として、予め設定した許容電力量を越えて稼動することがなくなる。
【００４２】
次に、図４のケース２を説明する。最初に装置Ｂで撮影を実行しているものとする。中央処理部４０は、装置Ｂからのプラン情報をもとに、装置Ｂの撮影に要する電力量Ｗ１と所要時間（Ｔ２）を判断し、期間Ｔ２において電力量Ｗ１を使用することを記憶する。
【００４３】
期間Ｔ２内において、装置Ａから撮影のプランＰ１を受け付けると、中央処理部４０は、装置Ａからのプラン情報をもとに装置Ａでの撮影に要する電力量を予測する。装置Ｂと装置Ａのトータル電力量が予め設定した許容電力量Ｗmaxを越えると判断すると、装置Ａに対して却下Ｄの通知を行う。ここで装置Ａは、装置Ｂでの撮影終了まで待機（ウエイト）することを通知する（Ｐ２）。中央処理部４０は、装置Ｂの撮影が終了すると、装置Ａに対して撮影の許可を通知し、装置Ａは装置Ｂの撮影終了後に撮影を実行することができる。
【００４４】
またケース２の期間Ｔ２内において、装置ＡからのプランＰ１の受付よりも遅れて、装置Ｃから使用プランＰ１を受け付けたとする。中央処理部４０は、装置Ｃからのプラン情報をもとに装置Ｃの稼動に要する電力量を予測する。装置Ｂと装置Ｃのトータル電力量が予め設定した許容電力量Ｗmax以内であると判断すると、装置Ｃに対して許可Ａの通知を行う。装置Ｃは、プランを実行することができる。
【００４５】
一方、ケース２において、装置Ａは、装置Ｂの撮影を終了したあとに撮影を開始することになる。また装置Ａでの撮影中に、装置Ｃから撮影・治療の実行プランＰ１を受け付けると、中央処理部４０は、装置Ｃからのプラン情報をもとに装置Ｃでの使用電力量を予測する。
【００４６】
装置Ｃの稼動による電力量が高く、装置Ａと装置Ｃのトータル電力量が予め設定した許容電力量（Ｗmax）を越える場合は、装置Ｃに対して却下Ｄの通知を行う。却下された場合、プランを変更して低電力量での使用プランに変更するか、又は装置Ａでの撮影終了を待つかを通知する。
【００４７】
ここで装置Ｃから、装置Ａの撮影終了まで待機することを回答（Ｐ２）すると、中央処理部４０は、装置Ａでの撮影終了を待って、装置Ｃに対してプランの実行を許可し、装置Ｃは実行することができる。
【００４８】
図５は、実施形態における電力管理システムの他のケースにおけるタイミングチャートを示す。図５のケース３において、中央処理部４０は、最初に装置Ｂから撮影のプランＰ１を受け付けたとすると、現時点で稼動している装置はないため、実行を許可する回答（許可Ａ）を装置Ｂに送る。また、中央処理部４０は、装置Ｂからのプラン情報をもとに、装置Ｂの撮影に要する電力量Ｗ２と所要時間（Ｔ１）を判断し、期間Ｔ１において電力量Ｗ２を使用することを記憶する。そして装置Ｂは、撮影を開始する。このときの装置Ｂでの使用電力量Ｗ２は低いものとする。
【００４９】
期間Ｔ１内において、装置Ａから撮影のプランＰ１を受け付けると、中央処理部４０は、装置Ａからのプラン情報をもとに装置Ａでの撮影に要する電力量を予測する。装置Ｂと装置Ａのトータルの電力量が予め設定した許容電力量Ｗmax以内であると判断すると、装置Ａに対して許可Ａを通知する。装置Ａは、撮影を開始する。したがって、所要電力量が許容電力量の範囲内であれば、装置Ａと装置Ｂにて同時に撮影を実行することができる。
【００５０】
また図５のケース４は、緊急時の割り込み処理に関する。ケース４において、例えば、装置Ｂでの撮影中に、装置Ａから緊急の撮影プランＰ１を受け付けたとする。中央処理部４０は、装置Ａからのプラン情報をもとに装置Ａでの撮影に要する電力量を予測する。装置Ｂと装置Ａのトータルの電力量が予め設定した許容電力量Ｗmaxを越えると判断すると、装置Ｂに対して一旦中断するように要求Ｒを送る。そして装置Ｂは、残りの撮影（点線部分Ｅ）があっても撮影を中断し、中央処理部４０に対して了解の回答を通知し、ウエイトする。
【００５１】
中央処理部４０は、装置Ｂからの回答を受け付けると、装置Ａに対して撮影の実行を許可する通知を行う（許可Ａ）。装置Ａは撮影を開始する。また中央処理部４０は、装置Ａでのプラン情報をもとに電力量Ｗ１と所要時間（Ｔ３）を判断し、期間Ｔ３の経過後に、装置Ａからの撮影終了の通知を待って、装置Ｂに対して撮影の許可を通知する。これにより、装置Ｂは、残りの撮影Ｅを実行する。或いは、装置Ｂは、再度初めから撮影をし直してもよい。
【００５２】
こうして、中央処理部４０は、装置Ａ〜Ｃからのプラン情報を受け付けると、使用電力量が許容範囲内であれば、各装置の使用を許可し、許容範囲を越える場合は、却下してプランの変更又は待機を指示し、使用電力量が許容電力量を越えることがないように制御することができる。
【００５３】
また中央処理部４０が優先順位付け機能を有することで、救急用や手術用など緊急を要する装置の使用時には、必要出力を確保しての運用が可能となる。また、短時間での優先順位付け、或いは一日の曝射時間のプランニングなどもできる。これにより、病院として持つべき電気設備の小型化でき、病院の固定費削減を図ることができる。
【００５４】
尚、実施形態では、医用機器として装置Ａ〜Ｃを備える例を説明したが、より多くの種類の医用機器（Ｘ線撮影装置、超音波診断装置、核医学診断装置など）を備える場合や、より多くの台数の医用機器を有する場合にも適用できることは言うまでもない。
【００５５】
以上述べた少なくとも一つの実施形態によれば、使用されている複数の医療機器の電力を集中管理することが可能となるため、病院としての電源設備の縮小を図ることができ、電力使用制限が発生した場合に医療機器を高効率で利用することができ、さらに、医療機関内の省エネにも寄与できる。
【００５６】
本発明のいくつかの実施形態を述べたが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５７】
１０，２０，３０…検査室
１１，２１，３１…医用機器（装置Ａ〜Ｃ）
１２，２２…コンソール
３２…電力監視ユニット
１３，２３，３３…配電盤
４０…中央処理部
４１…通信部
４２…情報取得部
４３…予測部
４４…記憶部
４５…管理部
４６…通知部
４７…ＣＰＵ
【図１】
2014131407.tif 000003
【図２】
2014131407.tif 000004
【図３】
2014131407.tif 000005
【図４】
2014131407.tif 000006
【図５】
2014131407.tif 000007